(57)【要約】      （修正有）【課題】ライブビュー撮影と光学ファインダー撮影をユーザーが簡単且つ自由に切り替え可能なデジタル一眼レフカメラを提供する。【解決手段】接眼検知手段により、ユーザーが光学ファインダー手段を覗いていると検知された場合は、ミラーを撮像光路内の所定位置に配置し、ミラーで反射した被写体像を光学ファインダー手段に導く第１状態、検知されない場合で且つ状態検出手段により所定状態でないと検知された場合は、ミラーを撮像光路外に退避する位置に配置し、撮像手段により撮像された被写体像を表示手段で表示する第２状態、検知されない場合で且つ所定状態であると検知された場合は、ミラーを撮像光路内の所定位置に配置し、撮像手段により撮像されたミラーを透過した被写体像を表示手段で表示する第３状態に切り替え可能とする。【選択図】図１１
2015225190.tif 000002
【特許請求の範囲】
【請求項１】
撮像光学系により形成された被写体像の撮像と、撮像面位相差検出方式による焦点検出が可能な撮像手段（６）と、
前記撮像手段から出力された画像信号を表示する表示手段（１５）と、
ユーザーが被写体像を観察可能な光学ファインダー手段（７〜１０）と、
撮像光路を複数の光路に分割可能で、ハーフミラーで構成されているミラー（４）と、
ユーザーが前記光学ファインダー手段を覗いているか否かを検知する接眼検知手段（１２、１３）と、を備え、
前記ミラーは、撮像光路内の所定位置に配置され、前記ミラーで反射した被写体像を前記光学ファインダー手段に導き、且つ前記ミラーを透過した被写体像を撮像手段に導く第１状態（図１）と、撮像光路外に退避する位置に配置され、被写体像を撮像手段に導く第２状態（図２）とに回動可能に構成されており、
前記接眼検知手段により、ユーザーが前記光学ファインダー手段を覗いていると検知された場合は、前記第１状態で前記撮像面位相差検出方式による焦点検出を行い、検知されない場合は、前記第２状態で前記撮像面位相差検出方式による焦点検出を行うことを特徴とする撮像装置。
【請求項２】
撮像光学系により形成された被写体像の撮像と、撮像面位相差検出方式による焦点検出が可能な撮像手段（６）と、
前記撮像手段から出力された画像信号を表示する表示手段（１５）と、
ユーザーが被写体像を観察可能な光学ファインダー手段（７〜１０）と、
撮像光路を複数の光路に分割可能で、ハーフミラーで構成されているミラー（４）と、
ユーザーが前記光学ファインダー手段を覗いているか否かを検知する接眼検知手段（１２、１３）と、
撮像装置が所定の設定状態、もしくは所定の使用環境であるか否かを検出する状態検出手段（３０）と、を備え、
前記接眼検知手段により、ユーザーが前記光学ファインダー手段を覗いていると検知された場合は、前記ミラーを撮像光路内の所定位置に配置し、前記ミラーで反射した被写体像を前記光学ファインダー手段に導く第１状態（図１）、検知されない場合で且つ前記状態検出手段により所定状態でないと検知された場合は、前記ミラーを撮像光路外に退避する位置に配置し、前記撮像手段により撮像された被写体像を前記表示手段で表示する第２状態（図２）、検知されない場合で且つ所定状態であると検知された場合は、前記ミラーを撮像光路内の所定位置に配置し、前記撮像手段により撮像された前記ミラーを透過した被写体像を前記表示手段で表示する第３状態（図３）に切り替え可能とすることを特徴とする撮像装置。
【請求項３】
前記所定状態とは、動画モードであることを特徴とする請求項２に記載の撮像装置。
【請求項４】
前記所定状態とは、前記接眼検知手段により、ユーザーが前記光学ファインダー手段を覗いていると検知されている状態から検知されなくなった状態に切り替わってからの所定時間中であることを特徴とする請求項２に記載の撮像装置。
【請求項５】
前記所定状態とは、撮影環境が所定の明るさであることを特徴とする請求項２に記載の撮像装置。
【発明の詳細な説明】
【技術分野】
【０００１】
本発明は、デジタル一眼レフカメラのライブビュー撮影と光学ファインダー撮影の切り替え方法に関する。
【背景技術】
【０００２】
デジタルカメラの特徴の一つとして、撮影に先立って、撮像素子で取得した被写体の画像をリアルタイムにデジタルカメラの背面等に設けられた液晶モニタに表示させる機能、所謂ライブビューがある。例えばデジタル一眼レフカメラにおいて光学ファインダーを用いて撮影する場合、撮影環境が暗いと被写体を確認することが出来ない。しかしライブビューでは撮像素子の感度上げて取得した被写体像を液晶モニタへ明るく表示させることが可能なため被写体を確認することが出来る。また被写体のピント確認においても、ライブビューでは撮像素子で取得している画像そのもののピントを確認でき、ピントを確認したい部分を拡大表示することが可能なため、光学ファインダーに比べてより詳細なピント確認が出来るなどのメリットがある。
【０００３】
しかし逆に太陽光下などの明るい場所では、液晶モニタの表示輝度の問題で画像が見難かったり、僅かではあるが表示のタイムラグがあるため、動きの速い被写体を追いかけるのには適さなかったりするなど、光学ファインダーの方が優位な撮影条件もある。そこでライブビュー撮影と光学ファインダー撮影が切り替え可能なデジタル一眼レフカメラが提案されている（特許文献１参照）。
【０００４】
また従来から光学ファインダー撮影においては、位相差検出方式ＡＦ手段（以下、位相差ＡＦと称す）が多く採用されてきた。位相差ＡＦは撮像面と略等価な面にラインセンサ等の像検出センサを１対以上配置して、撮影光束の異なる部位の光束を異なる像検出センサに導き、対を成す像検出センサから出力される被写体像の像間距離に基づいて被写体像の焦点状態を検出するものである。対を成す像検出センサ上の被写体像のずれ方向とずれ量から、合焦位置が撮像面に対してどちらの方向へどの程度離れているかを即時に認識することができる。そのため撮影光学系を１回駆動することで合焦位置が得られるので、合焦時間が速く、連写性能や動体追従性能が求められるデジタル一眼レフカメラに最適なＡＦ方式である。
【０００５】
近年、この位相差ＡＦ機能を撮像素子に組み込んだ撮像面位相差検出方式ＡＦ手段（以下、撮像面位相差ＡＦと称す）を採用したデジタル一眼レフカメラが提案されている。そのデジタル一眼レフカメラは専用ＡＦセンサを廃止し、ライブビュー撮影と光学ファインダー撮影のいずれにおいても撮像面位相差ＡＦでの測距を行っている（特許文献２参照）。
【先行技術文献】
【特許文献】
【０００６】
【特許文献１】特開２０００−３２３２３号公報
【特許文献２】特開２０１１−２８１７７号公報
【発明の概要】
【発明が解決しようとする課題】
【０００７】
しかしながら、前述の特許文献１に開示された従来技術では、予めユーザーがライブビュー撮影か光学ファインダー撮影かを選択しておく必要があるため、撮影状況に応じて臨機応変にライブビュー撮影と光学ファインダー撮影を切り替えることが難しい。
【０００８】
また前述の特許文献２に開示された従来技術では、予め設定された撮影モードに応じてライブビュー撮影と光学ファインダー撮影を自動的に切り替えている。従って、ユーザーが撮影モードとライブビュー撮影もしくは光学ファインダー撮影の組合せを自由に選択することができないため、ユーザーの希望する撮影スタイルが得られない場合がある。
【０００９】
そこで本発明の目的は、ライブビュー撮影と光学ファインダー撮影をユーザーが簡単且つ自由に切り替え可能なデジタル一眼レフカメラを提供することである。
【課題を解決するための手段】
【００１０】
上記目的を達成するために、本発明に係る撮像装置の構成は、撮像光学系により形成された被写体像の撮像と、撮像面位相差検出方式による焦点検出が可能な撮像手段と、前記撮像手段から出力された画像信号を表示する表示手段と、ユーザーが被写体像を観察可能な光学ファインダー手段と、撮像光路を複数の光路に分割可能で、ハーフミラーで構成されているミラーと、ユーザーが前記光学ファインダー手段を覗いているか否かを検知する接眼検知手段と、を備え、前記ミラーは、撮像光路内の所定位置に配置され、前記ミラーで反射した被写体像を前記光学ファインダー手段に導き、且つ前記ミラーを透過した被写体像を撮像手段に導く第１状態と、撮像光路外に退避する位置に配置され、被写体像を撮像手段に導く第２状態とに回動可能に構成されており、前記接眼検知手段により、ユーザーが前記光学ファインダー手段を覗いていると検知された場合は、前記第１状態で前記撮像面位相差検出方式による焦点検出を行い、検知されない場合は、前記第２状態で前記撮像面位相差検出方式による焦点検出を行うことを特徴とする。
【００１１】
また、撮像光学系により形成された被写体像の撮像と、撮像面位相差検出方式による焦点検出が可能な撮像手段と、前記撮像手段から出力された画像信号を表示する表示手段と、ユーザーが被写体像を観察可能な光学ファインダー手段と、撮像光路を複数の光路に分割可能で、ハーフミラーで構成されているミラーと、ユーザーが前記光学ファインダー手段を覗いているか否かを検知する接眼検知手段と、撮像装置が所定の設定状態、もしくは所定の使用環境であるか否かを検出する状態検出手段と、を備え、前記接眼検知手段により、ユーザーが前記光学ファインダー手段を覗いていると検知された場合は、前記ミラーを撮像光路内の所定位置に配置し、前記ミラーで反射した被写体像を前記光学ファインダー手段に導く第１状態、検知されない場合で且つ前記状態検出手段により所定状態でないと検知された場合は、前記ミラーを撮像光路外に退避する位置に配置し、前記撮像手段により撮像された被写体像を前記表示手段で表示する第２状態、検知されない場合で且つ所定状態であると検知された場合は、前記ミラーを撮像光路内の所定位置に配置し、前記撮像手段により撮像された前記ミラーを透過した被写体像を前記表示手段で表示する第３状態に切り替え可能とすることを特徴とする。
【発明の効果】
【００１２】
本発明によれば、ユーザーが撮影スタイルや撮影状況に応じて、ライブビュー撮影と光学ファインダー撮影を簡単且つ自由に切り替え可能なデジタル一眼レフカメラを提供することができる。
【図面の簡単な説明】
【００１３】
【図１】本発明の実施例１におけるデジタル一眼レフカメラの光学ファインダー使用時の構成を示す断面図である。
【図２】本発明の実施例１におけるデジタル一眼レフカメラのライブビュー使用時の構成を示す断面図である。
【図３】本発明の実施例１におけるデジタル一眼レフカメラのミラーダウンライブビュー使用時の構成を示す断面図である。
【図４】本発明の実施例１におけるデジタル一眼レフカメラの電気的構成を示すブロック図である。
【図５】本発明の実施例１における撮像素子の撮像画素と焦点検出画素の配列を示す概略図である。
【図６】本発明の実施例１における画素の概略平面図と概略断面図である。
【図７】本発明の実施例１における画素構造と瞳分割との対応関係を示した概略説明図である。
【図８】本発明の実施例１における撮像素子と瞳分割との対応関係を示した概略説明図である。
【図９】本発明の実施例１における第１焦点検出信号と第２焦点検出信号のデフォーカス量と像ずれ量の概略関係図である。
【図１０】本発明の実施例１における撮像面位相差ＡＦの流れを概略的に示したフローチャートである。
【図１１】本発明の実施例１におけるデジタル一眼レフカメラの全体制御の流れを概略的に示したフローチャートである。
【図１２】本発明の実施例１におけるデジタル一眼レフカメラの静止画ＬＶ撮影ルーチンの流れを概略的に示したフローチャートである。
【図１３】本発明の実施例１におけるデジタル一眼レフカメラのＯＶＦ撮影ルーチンの流れを概略的に示したフローチャートである。
【図１４】本発明の実施例１におけるデジタル一眼レフカメラの動画ＬＶ撮影ルーチンの流れを概略的に示したフローチャートである。
【図１５】本発明の実施例２のデジタル一眼レフカメラの全体制御の流れを概略的に示したフローチャートである。
【図１６】本発明の実施例３のデジタル一眼レフカメラの全体制御の流れを概略的に示したフローチャートである。
【図１７】本発明の実施例３におけるデジタル一眼レフカメラのミラーダウンＬＶ撮影ルーチンの流れを概略的に示したフローチャートである。
【発明を実施するための形態】
【００１４】
以下、本発明の好ましい実施の形態を、添付の図面に基づいて詳細に説明する。
【実施例１】
【００１５】
図１〜図３には、本実施例１における撮像装置としてのデジタル一眼レフカメラの構成を示している。
【００１６】
１はデジタル一眼レフカメラの本体（以下、カメラ本体という）である。
【００１７】
２はカメラ本体１に固定されたマウントであり、マウント２には、撮影レンズ３が着脱交換可能に装着される。またマウント２には、撮影レンズ３との間で各種信号を通信したりカメラ本体１から撮影レンズ３に電源を供給したりするための不図示のインターフェイス部が設けられている。
【００１８】
撮影レンズ３の内部には、フォーカスレンズ３ａ、ズームレンズ３ｂを含む撮影光学系が収容されている。なお図１〜図３では各レンズを１枚のレンズにより構成されているように示しているが、複数枚のレンズによって構成されていてもよい。
【００１９】
カメラ本体１において、４はハーフミラーにより構成されたミラーであり、後述のモーター３３により図１、図３に示すダウン位置と、図２に示すアップ位置とに回動可能である。撮影レンズ３により形成される被写体像を後述する光学ファインダーを通して観察する時（光学ファインダー使用時）には、ミラー４は図１に示すように撮影光路内に斜めに配置されるダウン位置に回動される。これにより撮影レンズ３からの光束は、ミラー４で反射して光学ファインダーに導かれる光束と、ミラー４を透過して後述するシャッター５および撮像素子６に導かれる光束に分割される。
【００２０】
また被写体像を後述する液晶モニタ１５で観察する時には、通常ミラー４は図２に示すように撮影光路から退避するアップ位置に回動される。これにより撮影レンズ３からの光束は、後述するシャッター５および撮像素子６にのみ導かれる（ライブビュー使用時）。
【００２１】
更に本実施例１では、ミラー４がハーフミラーで構成されているため、図３に示すようにダウン位置においても被写体像が撮像素子６に導かれ、液晶モニタ１５で観察が可能となっている（ミラーダウンライブビュー使用時）。
【００２２】
５はシャッターで、通常は開いた状態で、静止画像の撮影時など必要な場合において閉じるように構成されているフォーカルプレーンシャッターである。
【００２３】
６は撮像素子で、ＣＭＯＳイメージセンサとその周辺回路で構成されており、被写体像を光電変換して撮像信号を出力する。撮像信号に対して後述する画像処理回路４２にて各種処理が行われ、画像信号が生成される。撮像信号は全画素独立出力可能なように構成されている。また撮像面位相差ＡＦが可能となっており、詳細については後述する。
【００２４】
７はピント板で、ミラー４で反射された光束により被写体像が形成される。８はピント板７の近傍に配置された高分子分散液晶パネル（所謂、ＰＮ液晶パネル）からなる表示装置であり、後述する光学ファインダー内に各種情報を表示している。９はペンタプリズムでピント板７の射出面に結像した被写体像を正立正像に反転させる。１０は接眼レンズでペンタプリズム９からの光束をユーザーの眼に導いて、ピント板７上の被写体像をユーザーに観察させる。ピント板７〜接眼レンズ１０の構成を光学フィンダーと称す。
【００２５】
１２は接眼検知センサ投光部、１３は接眼検知センサ受光部である。接眼検知センサ投光部１２からは赤外光が投光されており、ユーザーが接眼レンズ１０を覗くと、投光された赤外光が眼や顔で反射し、反射した赤外光が接眼検知センサ受光部１３で受光される。これによりユーザーが光学ファインダーを使用しているか否かを検知できる。
【００２６】
１４は光学ファインダーの光路を遮蔽するためのアイピースシャッターで、後述のプランジャー３９により光学ファインダー光路内に挿抜駆動される。ユーザーが光学ファインダーを使用する場合は、アイピースシャッター１４を光学ファインダー光路外の開状態（図１）に配置する。ユーザーが光学ファインダーを使用しない場合は、アイピースシャッター１４を光学ファインダー光路内の閉状態（図２、３）に配置し、不要な光束が接眼レンズ１０から光学ファインダーを通って撮像素子６に入射することを防ぐ。
【００２７】
１５は液晶モニタであり、画像信号（ライブビュー画像および撮影画像）や各種情報を表示する。
【００２８】
図４は、前述したデジタル一眼レフカメラの電気的構成を示しているブロック図である。
【００２９】
３０はカメラ本体１の種々の制御を司るマイクロコンピュータ（以下、ＣＰＵと称す）で、演算部、ＲＯＭ、ＲＡＭ、Ａ／Ｄコンバータ、Ｄ／Ａコンバータ、通信インターフェイス回路等を有している。そのＲＯＭに記憶された所定のプログラムに基づいて、カメラが有する各種回路を駆動し、ＡＥ、ＡＦ、撮影、画像処理、記録などの一連の動作を実行する。３１は各種制御を行うためのデータを格納しているメモリとしてのＥＥＰＲＯＭである。
【００３０】
３２はモーター駆動回路であり、モーター３３を制御し、ミラー４の駆動とシャッター５のチャージ（シャッター走行準備）駆動を行う。
【００３１】
３４はシャッター駆動回路であり、不図示の電磁石（コイル）への電力供給を制御し、シャッター５の走行制御を行う。
【００３２】
３５は撮像素子駆動回路で、撮像素子６の撮像動作を制御するとともに、取得した撮像信号をＡ／Ｄ変換してＣＰＵ３０に送信する。
【００３３】
３６は液晶駆動回路で、表示装置８の駆動制御を行い、測距点や各種情報を光学ファインダー内に表示する。
【００３４】
３７は接眼検知センサ駆動回路で、接眼検知センサ投光部１２と接眼検知センサ受光部１３の駆動制御を行い、ユーザーが光学ファインダーを使用しているか否かを検知する。
【００３５】
３８はプランジャー駆動回路で、プランジャー３９の通電制御を行い、アイピースシャッター１４を挿抜駆動する。
【００３６】
４０はカメラ本体１に取り付け外し可能なメディア（所謂、ＣＦカードやＳＤカードなど）で、ＣＰＵ３０内の通信インターフェイス回路により、撮影された画像データの保存や、保存されている画像データを液晶モニタ１５に表示可能となっている。
【００３７】
４１はメモリとしてのＳＤＲＡＭであり、画像データなどを一時的に記録する。
【００３８】
４２は画像処理回路であり、撮像素子６から出力された撮像信号（デジタル信号）に対して、Ｙ／Ｃ（輝度信号／色差信号）分離、ホワイトバランス補正およびγ補正等の様々な処理を行って、ライブビュー用や記録用の画像データを生成する。また画像データをＪＰＥＧ等の形式に従って圧縮したり、メディア４０に記録された圧縮画像データを伸張したりする。更に画像処理回路４２で生成された画像データから、ＣＰＵ３０が被写体の測光情報を得る（所謂、撮像面ＡＥを行う）ことが可能である。
【００３９】
４３はユーザーによって撮影を開始させるために操作されるレリーズボタンである。レリーズボタン４３の半押し操作（第１ストローク操作）によって、ＡＥおよびＡＦ等の撮影準備動作を開始させるための第１スイッチＳＷ１がオンされる。また、レリーズボタン４３の全押し操作（第２ストローク操作）によって、記録用画像を生成するための撮像素子６の露光を開始させるための第２スイッチＳＷ２がオンされる。第１スイッチＳＷ１および第２スイッチＳＷ２のオン信号はＣＰＵ３０に出力される。
【００４０】
４４はモードボタンであり、後述する電子ダイヤル４５と合わせて操作されることで、カメラの撮影モードの変更を可能とする。
【００４１】
４５は電子ダイヤルであり、その回転操作量に応じたクリック信号がＣＰＵ３０内のアップダウンカウンタにてカウントされ、カウント値に応じて各種数値やデータ等の選択が行われる。
【００４２】
４６は動画記録の開始と停止を指示するための動画ボタンであり、ユーザーによって操作される毎にＣＰＵ３０へ操作信号が出力される。その操作信号により、カメラが動画モードの場合に操作されると動画記録が開始され、動画記録中に操作されると動画記録が停止される。
【００４３】
４７はＳＥＴボタンであり、モードボタン４４や電子ダイヤル４５などが操作されて、測距点や各種撮影モードの詳細、各種数値などの選択または設定を行った際に、その選択または設定を決定するための操作入力部である。
【００４４】
４８は電源ボタンであり、操作されるとカメラ本体１に装着されたバッテリー５０の電圧を、ＤＣ／ＤＣコンバータ４９によりカメラ本体１および撮影レンズ３内の各回路に必要な電圧に変換して供給する。バッテリー５０はカメラ本体１に対して着脱可能になっている。
【００４５】
続いて、撮像素子６による撮像面位相差ＡＦについて説明する。まず撮像素子６の構成について詳細に説明する。図５は撮像素子６の撮像画素と焦点検出画素の配列の概略図であり、２次元ＣＭＯＳセンサー（撮像素子）の画素（撮像画素）配列を４列×４行の範囲で、焦点検出画素配列を８列×４行の範囲で示したものである。図５の左上に示した２列×２行の画素群２００は、Ｒ（赤）の分光感度を有する画素２００Ｒが左上に、Ｇ（緑）の分光感度を有する画素２００Ｇが右上と左下に、Ｂ（青）の分光感度を有する画素２００Ｂが右下に配置されている。更に各画素は２列×１行に配列された第１焦点検出画素２０１と第２焦点検出画素２０２により構成されている。
【００４６】
図５に示した４列×４行の画素（８列×４行の焦点検出画素）を面上に多数配置し、撮像画像（焦点検出信号）の取得を可能としている。本実施例１では、画素の周期Ｐが４μｍ、画素数Ｎが横５５７５列×縦３７２５行＝約２０７５万画素、焦点検出画素の列方向周期ＰＡＦが２μｍ、焦点検出画素数ＮＡＦが横１１１５０列×縦３７２５行＝約４１５０万画素の撮像素子として説明を行う。
【００４７】
図５に示した撮像素子６の１つの画素２００Ｇを、撮像素子の受光面側（＋ｚ側）から見た平面図を図６（ａ）に示し、図６（ａ）のａ−ａ断面を−ｙ側から見た断面図を図６（ｂ）に示す。図６に示すように画素２００Ｇでは、各画素の受光側に入射光を集光するためのマイクロレンズ３０５が形成され、ｘ方向にＮＨ分割（２分割）、ｙ方向にＮＶ分割（１分割）された光電変換部３０１と光電変換部３０２が形成される。光電変換部３０１と光電変換部３０２が、それぞれ、第１焦点検出画素２０１と第２焦点検出画素２０２に対応する。光電変換部３０１と光電変換部３０２は、ｐ型層とｎ型層の間にイントリンシック層を挟んだｐｉｎ構造フォトダイオードとしても良いし、必要に応じて、イントリンシック層を省略し、ｐｎ接合フォトダイオードとしても良い。
【００４８】
各画素には、マイクロレンズ３０５と、光電変換部３０１および光電変換部３０２との間に、カラーフィルター３０６が形成される。また必要に応じて、各副画素毎にカラーフィルターの分光透過率を変えても良いし、カラーフィルターを省略しても良い。
【００４９】
画素２００Ｇに入射した光は、マイクロレンズ３０５により集光され、カラーフィルター３０６で分光されたのち、光電変換部３０１と光電変換部３０２で受光される。光電変換部３０１と光電変換部３０２では、受光量に応じて電子とホールが対生成し、空乏層で分離された後、負電荷の電子はｎ型層（不図示）に蓄積され、一方、ホールは定電圧源（不図示）に接続されたｐ型層を通じて撮像素子外部へ排出される。光電変換部３０１と光電変換部３０２のｎ型層（不図示）に蓄積された電子は、転送ゲートを介して、静電容量部（ＦＤ）に転送され、電圧信号に変換される。
【００５０】
図６に示した画素構造と瞳分割との対応関係を示した概略説明図を図７に示す。図７は図６（ａ）に示した画素構造のａ−ａ断面を＋ｙ側から見た断面図と結像光学系の射出瞳面を示している。図７では、射出瞳面の座標軸と対応を取るために、断面図のｘ軸とｙ軸を図６に対して反転させている。
【００５１】
図７で、第１焦点検出画素２０１の第１瞳部分領域５０１は、重心が−ｘ方向に偏心している光電変換部３０１の受光面と、マイクロレンズ３０５によって、概ね共役関係になっており、第１焦点検出画素２０１で受光可能な瞳領域を表している。第１焦点検出画素２０１の第１瞳部分領域５０１は、瞳面上で＋Ｘ側に重心が偏心している。第２焦点検出画素２０２の第２瞳部分領域５０２は、重心が＋ｘ方向に偏心している光電変換部３０２の受光面と、マイクロレンズ３０５によって、概ね共役関係になっており、第２焦点検出画素２０２で受光可能な瞳領域を表している。第２焦点検出画素２０２の第２瞳部分領域５０２は、瞳面上で−Ｘ側に重心が偏心している。また瞳領域５００は、光電変換部３０１と光電変換部３０２（第１焦点検出画素２０１と第２焦点検出画素２０２）を全て合わせた際の画素２００Ｇ全体で受光可能な瞳領域である。
【００５２】
撮像素子６と瞳分割との対応関係を示した概略説明図を図８に示す。第１瞳部分領域５０１と第２瞳部分領域５０２の異なる瞳部分領域を通過した光束は、撮像素子６の各画素にそれぞれ異なる角度で入射し、２×１分割された第１焦点検出画素２０１と第２焦点検出画素２０２で受光される。即ち撮像素子６は、第１瞳部分領域を通過する光束を受光する第１焦点検出画素と、第１瞳部分領域と異なる第２瞳部分領域を通過する光束を受光する第２焦点検出画素と、第１瞳部分領域と第２瞳部分領域を合わせた瞳領域を通過する光束を受光する撮像画素が複数配列されている。
【００５３】
本実施例１では、瞳領域が水平方向に２つに瞳分割されている。これにより水平方向の焦点検出が可能となっている。必要に応じて垂直方向に瞳分割を行っても良い。その際は垂直方向の焦点検出が可能となる。更には、水平・垂直の両方向に４つに瞳分割を行い、水平・垂直のクロス焦点検出を可能にしても良い。また必要に応じて、撮像画素と第１焦点検出画素、第２焦点検出画素を個別の画素構成とし、撮像画素配列の一部に、第１焦点検出画素と第２焦点検出画素を部分的に配置する構成としても良い。
【００５４】
本実施例１では、撮像素子６の各画素の第１焦点検出画素２０１の受光信号を集めて第１焦点信号を生成し、各画素の第２焦点検出画素２０２の受光信号を集めて第２焦点信号を生成して焦点検出を行う。また撮像素子６の各画素毎に、第１焦点検出画素２０１と第２焦点検出画素２０２の信号を加算することで、有効画素数Ｎの解像度の撮像信号（撮像画像）を生成する。
【００５５】
次に、撮像素子６により取得される第１焦点検出信号と第２焦点検出信号のデフォーカス量と像ずれ量の関係について説明する。
【００５６】
図９は第１焦点検出信号と第２焦点検出信号のデフォーカス量と、第１焦点検出信号と第２焦点検出信号間の像ずれ量の概略関係図を示す。撮像面８００に撮像素子６（不図示）が配置され、図７、図８と同様に、撮影光学系の射出瞳が、第１瞳部分領域５０１と第２瞳部分領域５０２に２分割される。
【００５７】
デフォーカス量ｄは、被写体の結像位置から撮像面までの距離を大きさ｜ｄ｜とし、被写体の結像位置が撮像面より被写体側にある前ピン状態を負符号（ｄ＜０）、被写体の結像位置が撮像面より被写体の反対側にある後ピン状態を正符号（ｄ＞０）として定義される。被写体の結像位置が撮像面（合焦位置）にある合焦状態はｄ＝０である。図９で被写体８０１は合焦状態（ｄ＝０）の例を示しており、被写体８０２は前ピン状態（ｄ＜０）の例を示している。前ピン状態（ｄ＜０）と後ピン状態（ｄ＞０）を合わせて、デフォーカス状態（｜ｄ｜＞０）とする。
【００５８】
前ピン状態（ｄ＜０）では、被写体８０２からの光束のうち、第１瞳部分領域５０１（第２瞳部分領域５０２）を通過した光束は、一度、集光した後、光束の重心位置Ｇ１（Ｇ２）を中心として幅Γ１（Γ２）に広がり、撮像面８００でボケた像となる。ボケた像は、撮像素子６に配列された各画素を構成する第１焦点検出画素２０１（第２焦点検出画素２０２）により受光され、第１焦点検出信号（第２焦点検出信号）が生成される。よって第１焦点検出信号（第２焦点検出信号）は、撮像面８００上の重心位置Ｇ１（Ｇ２）に、被写体８０２が幅Γ１（Γ２）にボケた被写体像として記録される。被写体像のボケ幅Γ１（Γ２）は、デフォーカス量ｄの大きさ｜ｄ｜が増加するのに伴い、概ね比例して増加していく。同様に、第１焦点検出信号と第２焦点検出信号間の被写体像の像ずれ量ｐ（＝光束の重心位置の差Ｇ１−Ｇ２）の大きさ｜ｐ｜も、デフォーカス量ｄの大きさ｜ｄ｜が増加するのに伴い、概ね、比例して増加していく。後ピン状態（ｄ＞０）でも、第１焦点検出信号と第２焦点検出信号間の被写体像の像ずれ方向が前ピン状態と反対となるが、同様である。従って本実施例１では、第１焦点検出信号と第２焦点検出信号、もしくは、第１焦点検出信号と第２焦点検出信号を加算した撮像信号のデフォーカス量の大きさが増加するのに伴い、第１焦点検出信号と第２焦点検出信号間の像ずれ量の大きさが増加する。
【００５９】
次に、撮像面位相差ＡＦの制御処理について説明する。撮像面位相差ＡＦは、第１焦点検出信号と第２焦点検出信号を相対的にシフトさせて信号の一致度を表す相関量を計算し、相関（信号の一致度）が良くなるシフト量から像ずれ量を検出する。撮像信号のデフォーカス量の大きさが増加するのに伴い、第１焦点検出信号と第２焦点検出信号間の像ずれ量の大きさが増加する関係性から、像ずれ量を検出デフォーカス量に変換して焦点検出を行う。
【００６０】
図１０は本実施例１の撮像面位相差ＡＦの流れを概略的に示したフローチャートである。なお図１０の動作は、本実施例１の焦点検出信号生成手段、相関演算手段、焦点検出手段、評価値算出手段である撮像素子６、画像処理回路４２とＣＰＵ３０によって実行される。またこの撮像面位相差ＡＦをどのようなタイミングで使用するかなどのカメラ全体の制御については後述する。
【００６１】
ステップＳ１０１では、始めに撮像素子６の有効画素領域の中から焦点調節を行う焦点検出領域を設定する。焦点検出信号生成手段により、焦点検出領域の第１焦点検出画素の受光信号から第１焦点検出信号を生成し、焦点検出領域の第２焦点検出画素の受光信号から第２焦点検出信号を生成する。
【００６２】
ステップＳ１０２では、第１焦点検出信号と第２焦点検出信号に、それぞれ信号データ量を抑制するために水平方向に３画素加算処理を行い、更にＲＧＢ信号を輝度Ｙ信号にするためにベイヤー（ＲＧＢ）加算処理を行う。
【００６３】
ステップＳ１０３では、第１焦点検出信号と第２焦点検出信号に、それぞれ焦点検出領域の像高、撮影レンズ３のＦ値、射出瞳距離に応じて、シェーディング補正処理（光学補正処理）を行う。
【００６４】
ステップＳ１０４では、相関量算出手段により、第１焦点検出信号と第２焦点検出信号を相対的に瞳分割方向にシフトさせるシフト処理を行い、信号の一致度を表す相関量を算出する。ｋ番目の第１焦点検出信号をＡ（ｋ）、第２焦点検出信号をＢ（ｋ）、焦点検出領域に対応する番号ｋの範囲をＷとする。シフト処理によるシフト量をｓ、シフト量ｓのシフト範囲をΓとして、相関量ＣＯＲ（ｓ）は、式（１）により算出される。
【００６５】
【数１】
2015225190.tif 000003
【００６６】
シフト量ｓのシフト処理により、ｋ番目の第１焦点検出信号Ａ（ｋ）とｋ−ｓ番目の第２焦点検出信号Ｂ（ｋ−ｓ）を対応させ減算し、シフト減算信号を生成する。生成されたシフト減算信号の絶対値を計算し、焦点検出領域に対応する範囲Ｗ内で番号ｋの和を取り、相関量ＣＯＲ（ｓ）を算出する。必要に応じて、各行毎に算出された相関量を、各シフト量毎に、複数行に渡って加算しても良い。
【００６７】
ステップＳ１０５では、焦点検出手段により、検出デフォーカス量を算出する。まず相関量からサブピクセル演算により、相関量が最小値となる実数値のシフト量を算出して像ずれ量ｐを算出する。次に算出された像ずれ量ｐに、焦点検出領域の像高と、撮影レンズ３のＦ値、射出瞳距離に応じた変換係数Ｋをかけて、検出デフォーカス量を算出する。
【００６８】
ステップＳ１０６では、評価値算出手段により、検出デフォーカス量の信頼性を判定するための評価値を算出する。本実施例１では、相関量からサブピクセル演算により計算された相関量の最小値（像一致度）を評価値として算出する。第１焦点検出信号と第２焦点検出信号の形状一致度が良くなるほど、相関量の最小値（像一致度）が小さくなり、焦点検出結果の信頼性が高くなる。必要に応じて、算出された像ずれ量ｐの位置での相関量の傾き（相関量の１階微分）を評価値としても良い。
【００６９】
ステップＳ１０７では、信頼性判定手段により、検出デフォーカス量の信頼性判定を行う。算出された評価値が所定値よりも大きい場合は、検出デフォーカス量の信頼性が高いと判定してＳ１０８に進む。算出された評価値が所定値よりも小さい場合は、検出デフォーカス量の信頼性が低いと判定して撮像面位相差ＡＦを終了する。
【００７０】
ステップＳ１０８では、検出デフォーカス量に応じて、撮影レンズ３のフォーカスレンズ３ａを駆動する。
【００７１】
以上説明した構成により、撮像素子６による撮像面位相差ＡＦを実現している。
【００７２】
続いてカメラ全体の制御について図１１〜図１４の制御フローチャートを用いて説明する。図１１は本実施例１のデジタル一眼レフカメラの全体制御の流れを概略的に示したフローチャートである。
【００７３】
ステップＳ２０１では、電源ボタン４８が操作され操作信号がＣＰＵ３０に出力されてカメラの電源がＯＮする。
【００７４】
ステップＳ２０２では、撮像素子駆動回路３５により撮像素子６の撮像動作と、撮像信号のＣＰＵ３０への送信を開始する。
【００７５】
ステップＳ２０３では、接眼検知センサ駆動回路３７により接眼検知センサ投光部１２と接眼検知センサ受光部１３を駆動し、ユーザーが接眼レンズ１０を覗いているか否か、即ち光学ファインダーを使用しているか否かを判定する。接眼検知がＯＦＦ（接眼検知センサ受光部１３が赤外光を受光しない）、即ち光学ファインダーを使用していないと判定されるとステップＳ２０４へ進む。接眼検知がＯＮ（接眼検知センサ受光部１３でユーザーの眼や顔に反射した赤外光が受光される）、即ち光学ファインダーを使用していると判定されるとステップＳ２０６へ進む。
【００７６】
ステップＳ２０４では、カメラが動画撮影モードに設定されているか否かを判定する。動画撮影モードに設定されていなければステップＳ２０５へ進み、設定されていればステップＳ２０７へ進む。
【００７７】
ステップＳ２０５では、ライブビュー使用による撮影ルーチン（以後、静止画ＬＶ撮影ルーチンと称す）を実行する。詳細は後述する。
【００７８】
ステップＳ２０６では、光学ファインダー使用による撮影ルーチン（以後、ＯＶＦ撮影ルーチンと称す）を実行する。詳細は後述する。
【００７９】
ステップＳ２０７では、ライブビュー使用による動画撮影ルーチン（以後、動画ＬＶ撮影ルーチンと称す）を実行する。詳細は後述する。
【００８０】
ステップＳ２０８では、ユーザーが電源ボタン４８を操作したか否かを判定する。操作されて電源がＯＦＦされればステップＳ２０９へ進み、ステップＳ２０９以降のカメラの終了制御を実行する。操作されず電源がＯＮのままであればステップＳ２０３へ進み、引き続きユーザーの撮影スタイルや撮影状況に応じたカメラ制御を実行する。
【００８１】
ステップＳ２０９では、ライブビュー（ＬＶ）がＯＦＦ（液晶モニタ１５にライブビュー画像が表示されていない状態）であるか否かを判定する。ライブビューがＯＦＦであればステップＳ２１１へ進み、ＯＦＦでなければステップＳ２１０へ進む。
【００８２】
ステップＳ２１０では、液晶モニタ１５を消灯し、ライブビュー表示を停止する。
【００８３】
ステップＳ２１１では、撮像素子駆動回路３５により撮像素子６の撮像動作を終了する。
【００８４】
ステップＳ２１２では、アイピースシャッター１４が閉状態であるか否かを判定する。閉状態であればステップＳ２１４へ進み、閉状態でなければステップＳ２１３へ進む。
【００８５】
ステップＳ２１３では、プランジャー駆動回路３８によりプランジャー３９の通電制御を行い、アイピースシャッター１４を閉状態に駆動する。
【００８６】
ステップＳ２１４では、ミラー４がアップ位置にあるか否かを判定する。アップ位置にあればカメラ制御を終了し、アップ位置になければステップＳ２１５へ進む。
【００８７】
ステップＳ２１５では、モーター駆動回路３２によりモーター３３を駆動して、ミラー４をアップ位置へ回動し、カメラ制御を終了する。即ち、カメラの電源ＯＦＦ時は、図２の状態となっている。
【００８８】
引き続き各撮影ルーチンを詳細に説明する。図１２は静止画ＬＶ撮影ルーチンの流れを概略的に示したフローチャートである。
【００８９】
ステップＳ３０１では、ミラー４がアップ位置にあるか否かを判定する。アップ位置にあればステップＳ３０３へ進み、アップ位置になければステップＳ３０２へ進む。
【００９０】
ステップＳ３０２では、モーター駆動回路３２によりモーター３３を駆動して、ミラー４をアップ位置へ回動する。
【００９１】
ステップＳ３０３では、アイピースシャッター１４が閉状態であるか否かを判定する。閉状態であればステップＳ３０５へ進み、閉状態でなければステップＳ３０４へ進む。
【００９２】
ステップＳ３０４では、プランジャー駆動回路３８によりプランジャー３９の通電制御を行い、アイピースシャッター１４を閉状態に駆動する。
【００９３】
ステップＳ３０５では、ライブビューがＯＮ（液晶モニタ１５にライブビュー画像が表示されている状態）であるか否かを判定する。ライブビューがＯＮであればステップＳ３０７へ進み、ＯＮでなければステップＳ３０６へ進む。
【００９４】
ステップＳ３０６では、画像処理回路４２により撮像信号からライブビュー用の画像データを生成し、液晶モニタ１５に表示する。
【００９５】
ステップＳ３０７では、レリーズボタン４３が操作されてＳＷ１がＯＮする。
【００９６】
ステップＳ３０８では、前述の撮像面位相差ＡＦルーチンを実行する。
【００９７】
ステップＳ３０９では、レリーズボタン４３が操作されてＳＷ２がＯＮする。
【００９８】
ステップＳ３１０では、撮像面ＡＥ結果により演算された撮影露出またはユーザーの設定値に従って、不図示の撮影レンズ３内の不図示の絞りを駆動する。
【００９９】
ステップＳ３１１では、撮像面ＡＥ結果により演算された撮影露出またはユーザーの設定値に従って、シャッター駆動回路３４によりシャッター５の露光走行を行う。
【０１００】
ステップＳ３１２では、シャッター５の露光走行の間に撮像素子６で受光された撮像信号を画像処理回路４２で画像データにして、ＳＤＲＡＭ４１に一時記録する。
【０１０１】
ステップＳ３１３では、画像処理回路４２で画像データに各種画像処理を行ない、静止画像としてメディア４０に記録する。
【０１０２】
ステップＳ３１４では、モーター駆動回路３２によりモーター３３を制御し、シャッター５のチャージ駆動を行い、シャッター５を開状態にし、静止画ＬＶ撮影ルーチンを終了する。
【０１０３】
図１３はＯＶＦ撮影ルーチンの流れを概略的に示したフローチャートである。
【０１０４】
ステップＳ４０１では、ライブビューがＯＦＦであるか否かを判定する。ライブビューがＯＦＦであればステップＳ４０３へ進み、ＯＦＦでなければステップＳ４０２へ進む。
【０１０５】
ステップＳ４０２では、液晶モニタ１５を消灯し、ライブビュー表示を停止する。
【０１０６】
ステップＳ４０３では、ミラー４がダウン位置にあるか否かを判定する。ダウン位置にあればステップＳ４０５へ進み、ダウン位置になければステップＳ４０４へ進む。
【０１０７】
ステップＳ４０４では、モーター駆動回路３２によりモーター３３を駆動して、ミラー４をダウン位置へ回動する。
【０１０８】
ステップＳ４０５では、アイピースシャッター１４が開状態であるか否かを判定する。開状態であればステップＳ４０７へ進み、開状態でなければステップＳ４０６へ進む。
【０１０９】
ステップＳ４０６では、プランジャー駆動回路３８によりプランジャー３９の通電制御を行い、アイピースシャッター１４を開状態に駆動する。
【０１１０】
ステップＳ４０７では、レリーズボタン４３が操作されてＳＷ１がＯＮする。
【０１１１】
ステップＳ４０８では、前述の撮像面位相差ＡＦルーチンを実行する。
【０１１２】
ステップＳ４０９では、レリーズボタン４３が操作されてＳＷ２がＯＮする。
【０１１３】
ステップＳ４１０では、モーター駆動回路３２によりモーター３３を制御して、ミラー４をアップ位置へ回動する。
【０１１４】
ステップＳ４１１では、フォーカスレンズ３ａの合焦位置を補正駆動する。ステップＳ４０８ではミラー４を透過した光束で撮像面位相差ＡＦを実行しており、ミラー４を透過しない光束では僅かではあるが合焦位置が変わるため、その変化量に応じたフォーカスレンズ３ａの補正量を計算して駆動する。補正量は撮影レンズ３の焦点距離、被写体の撮影距離など様々な影響により変化する。
【０１１５】
ステップＳ４１２では、撮像面ＡＥ結果により演算された撮影露出またはユーザーの設定値に従って、不図示の撮影レンズ３内の不図示の絞りを駆動する。
【０１１６】
ステップＳ４１３では、撮像面ＡＥ結果により演算された撮影露出またはユーザーの設定値に従って、シャッター駆動回路３４によりシャッター５の露光走行を行う。
【０１１７】
ステップＳ４１４では、シャッター５の露光走行の間に撮像素子６で受光された撮像信号を画像処理回路４２で画像データにして、ＳＤＲＡＭ４１に一時記録する。
【０１１８】
ステップＳ４１５では、画像処理回路４２で画像データに各種画像処理を行ない、静止画像としてメディア４０に記録する。
【０１１９】
ステップＳ４１６では、モーター駆動回路３２によりモーター３３を制御し、シャッター５のチャージ駆動を行い、シャッター５を開状態にする。
【０１２０】
ステップＳ４１７では、モーター駆動回路３２によりモーター３３を駆動して、ミラー４をダウン位置へ回動し、ＯＶＦ撮影ルーチンを終了する。
【０１２１】
ＯＶＦ撮影ルーチンにおいては、静止画像を撮影する際にミラー４を撮影光路から退避させている。その理由は、ミラー４を透過した光束は透過しない光束と比べて僅かではあるが画質が劣るため、カメラで得られる最良の画質をユーザーに提供するためである。また更に、静止画ＬＶ撮影ルーチンで得られる静止画像の画質と、ＯＶＦ撮影ルーチンで得られる静止画像の画質を同一にするためでもある。
【０１２２】
ＯＶＦ撮影ルーチンはミラー４のアップ駆動とフォーカスレンズ３ａの補正駆動により、静止画ＬＶ撮影ルーチンに比べて僅かではあるが撮影にタイムラグを生じてしまう。そこでそのタイムラグをなくすため、ＯＶＦ撮影ルーチンにおいてミラー４がダウン位置のまま、即ちミラー４を透過した光束で静止画像の撮影を行うようにしても構わない。
【０１２３】
図１４は動画ＬＶ撮影ルーチンの流れを概略的に示したフローチャートである。
【０１２４】
ステップＳ５０１では、ミラー４がダウン位置にあるか否かを判定する。ダウン位置にあればステップＳ５０３へ進み、ダウン位置になければステップＳ５０２へ進む。
【０１２５】
ステップＳ５０２では、モーター駆動回路３２によりモーター３３を駆動して、ミラー４をダウン位置へ回動する。
【０１２６】
ステップＳ５０３では、アイピースシャッター１４が閉状態であるか否かを判定する。閉状態であればステップＳ５０５へ進み、閉状態でなければステップＳ５０４へ進む。
【０１２７】
ステップＳ５０４では、プランジャー駆動回路３８によりプランジャー３９の通電制御を行い、アイピースシャッター１４を閉状態に駆動する。
【０１２８】
ステップＳ５０５では、ライブビューがＯＮであるか否かを判定する。ライブビューがＯＮであればステップＳ５０７へ進み、ＯＮでなければステップＳ５０６へ進む。
【０１２９】
ステップＳ５０６では、画像処理回路４２により撮像信号からライブビュー用の画像データを生成し、液晶モニタ１５に表示する。
【０１３０】
ステップＳ５０７では、撮像面ＡＥ結果により演算された撮影露出またはユーザーの設定値に従って、不図示の撮影レンズ３内の不図示の絞りを駆動する。
【０１３１】
ステップＳ５０８では、フォーカスレンズ３ａが合焦状態であるか否かを判定する。合焦状態（被写体にピントが合っている）と判定された場合は、ステップＳ５１０へ進み、非合焦状態（被写体にピントが合っていない）と判定された場合は、ステップＳ５０９へ進む。
【０１３２】
ステップＳ５０９では、前述の撮像面位相差ＡＦルーチンを実行し、その後ステップＳ５０８へ進む。
【０１３３】
ステップＳ５１０では、ユーザーが動画ボタン４６を操作したか否かを判定する。操作された場合は、動画ＯＮとなりステップＳ５１１へ進み、操作されない場合はステップＳ５０８へ進む。
【０１３４】
ステップＳ５１１では、動画の記録を開始する。画像処理回路４２によりＳＤＲＡＭ４１に一時記録された画像データから、設定されたフレームレートに応じた動画像を生成し、メディア４０に記録を開始する。ここでフレームレートはユーザーが設定可能としても良いし、カメラが自動設定しても構わない。
【０１３５】
ステップＳ５１２では、フォーカスレンズ３ａが合焦状態であるか否かを判定する。合焦状態と判定された場合は、ステップＳ５１４へ進み、非合焦状態と判定された場合は、ステップＳ５１３へ進む。
【０１３６】
ステップＳ５１３では、前述の撮像面位相差ＡＦルーチンを実行し、その後ステップＳ５１２へ進む。
【０１３７】
ステップＳ５１４では、接眼検知センサ駆動回路３７により接眼検知センサ投光部１２と接眼検知センサ受光部１３を駆動し、ユーザーが接眼レンズ１０を覗いているか否か、即ち光学ファインダーを使用しているか否かを判定する。接眼検知がＯＮ、即ち光学ファインダーを使用していると判定されるとステップＳ５１５へ進み、接眼検知がＯＦＦ、即ち光学ファインダーを使用していないと判定されるとステップＳ２１６へ進む。
【０１３８】
ステップＳ５１５では、プランジャー駆動回路３８によりプランジャー３９の通電制御を行い、アイピースシャッター１４を開状態に駆動する。
【０１３９】
ステップＳ５１６では、プランジャー駆動回路３８によりプランジャー３９の通電制御を行い、アイピースシャッター１４を閉状態に駆動する。
【０１４０】
ステップＳ５１７では、ユーザーが動画ボタン４６を操作したか否かを判定する。操作された場合は、動画ＯＦＦとなりステップＳ５１８へ進み、操作されない場合はステップＳ５１２へ進む。
【０１４１】
ステップＳ５１８では、メディア４０への動画像の記録を停止し、動画ＬＶ撮影ルーチンを終了する。
【０１４２】
動画ＬＶ撮影ルーチンにおいては、常にミラー４がダウン位置のまま、即ちミラー４を透過した光束で動画像の撮影を行うようにしている。この理由は、ユーザーがライブビュー使用の撮影から光学ファインダー使用の撮影に、またはその逆に切り替える際にミラー４の駆動が動画の中に写ってしまうことを防ぐためである。これによりユーザーは動画撮影時にライブビューと光学ファインダーを使い分けることが可能である。
【０１４３】
静止画ＬＶ撮影ルーチンやＯＶＦ撮影ルーチンでは、ユーザーによりレリーズボタン４３が操作されてＳＷ１がＯＮした時にＡＦ動作する、所謂ワンショットＡＦ制御での説明を行った。また動画ＬＶ撮影ルーチンでは、常に被写体にピントを合わせ続けるＡＦ動作、所謂コンティニアスＡＦ制御での説明をおこなった。しかしいずれの場合においてもそれらのＡＦ制御方式に限定される訳ではなく、静止画ＬＶ撮影ルーチンやＯＶＦ撮影ルーチンでコンティニアスＡＦ制御、動画ＬＶ撮影ルーチンでワンショットＡＦ制御しても構わない。
【０１４４】
撮像素子６に設けた撮像面位相差ＡＦ方式は、焦点検出画素を撮像素子の全面（全画素）に配置している方式で説明したが、特開平２００９−２４４４２９号公報等で提案している焦点検出画素を撮像素子に離散的に配置する方式を採用しても構わない。
【０１４５】
以上説明したように、本発明の第１の実施形態によれば、接眼検知によりユーザーがライブビューを使用している場合はミラーアップ状態で撮像面位相差ＡＦを行い、光学ファインダーを使用している場合はミラーダウン状態で撮像面位相差ＡＦを行う。またライブビュー使用による静止画撮影は静止画ＬＶ撮影ルーチン、光学ファインダー使用による静止画撮影はＯＶＦ撮影ルーチン、動画撮影は動画ＬＶ撮影ルーチンと、各撮影ルーチンを設けている。これによりユーザーが撮影スタイルや撮影状況に応じて、ライブビュー撮影と光学ファインダー撮影を簡単且つ自由に切り替え可能なデジタル一眼レフカメラが実現できる。
【実施例２】
【０１４６】
以下、本発明の第２の実施形態を図面を参照しながら説明する。基本構成は実施例１の図１〜１０と同一であるため説明を割愛し、異なる部分を説明する。
【０１４７】
図１５は本実施例２のデジタル一眼レフカメラの全体制御の流れを概略的に示したフローチャートである。
【０１４８】
ステップＳ６０１では、電源ボタン４８が操作され操作信号がＣＰＵ３０に出力されてカメラの電源がＯＮする。
【０１４９】
ステップＳ６０２では、撮像素子駆動回路３５により撮像素子６の撮像動作と、撮像信号のＣＰＵ３０への送信を開始する。
【０１５０】
ステップＳ６０３では、接眼検知によりユーザーが接眼レンズ１０を覗いているか否かを判定する。接眼検知がＯＮ、即ち光学ファインダーを使用していると判定されるとステップＳ６０４へ進み、接眼検知がＯＦＦ、即ち光学ファインダーを使用していないと判定されるとステップＳ６１４へ進む。
【０１５１】
ステップＳ６０４では、ＯＶＦ撮影ルーチンを実行する。詳細については実施例１の図１３と同一であるため説明は割愛する。
【０１５２】
ステップＳ６０５では、接眼検知によりユーザーが接眼レンズ１０を覗いているか否かを判定する。接眼検知がＯＮ、即ち光学ファインダーを使用していると判定されるとステップＳ６０６へ進み、接眼検知がＯＦＦ、即ち光学ファインダーを使用していないと判定されるとステップＳ６０７へ進む。
【０１５３】
ステップＳ６０６では、ユーザーが電源ボタン４８を操作したか否かを判定する。操作されて電源がＯＦＦされればステップＳ６１６へ進み、ステップＳ６１６以降のカメラの終了制御を実行する。操作されず電源がＯＮのままであればステップＳ６０３へ進み、引き続きユーザーの撮影スタイルや撮影状況に応じたカメラ制御を実行する。
【０１５４】
ステップＳ６０７では、接眼検知がＯＮからＯＦＦに切り替わってからの経過時間を計測するＯＦＦタイマを開始する。
【０１５５】
ステップＳ６０８では、ユーザーにより所定の操作がされたか否かを判定する。操作された場合は、ステップＳ６０９へ進み、操作されない場合はステップＳ６１２へ進む。ここで所定の操作とは、モードボタン４４や電子ダイヤル４５、ＳＥＴボタン４７などを操作することにより、撮影モードやＩＳＯ感度、シャッタースピード、絞り値、ホワイトバランスなどの撮影条件設定値などを変更することである。また所定の操作をユーザーが選択可能としても構わない。
【０１５６】
ステップＳ６０９では、所定の操作中であることを受けて、ＯＦＦタイマの計測を一時停止する。
【０１５７】
ステップＳ６１０では、所定の操作が終了したか否かを判定する。終了していればステップＳ６１１へ進み、終了していなければ終了するまで判定を続ける。
【０１５８】
ステップＳ６１１では、ＯＦＦタイマの計測を再開する。
【０１５９】
ステップＳ６１２では、ＯＦＦタイマで計測された経過時間が、所定値を超えたか否かを判定する。所定値を超えていればステップＳ６１３へ進み、所定値以下であればステップＳ６０８へ進む。ここで所定値はユーザーが設定可能としても良いし、カメラが自動設定しても構わない。
【０１６０】
ステップＳ６１３では、ＯＦＦタイマの計測を終了し、計測された数値を「０」にリセットする。
【０１６１】
ステップＳ６１４では、静止画ＬＶ撮影ルーチンを実行する。詳細については実施例１の図１２と同一であるため説明は割愛する。
【０１６２】
ステップＳ６１５では、ユーザーが電源ボタン４８を操作したか否かを判定する。操作されて電源がＯＦＦされればステップＳ６１６へ進み、ステップＳ６１６以降のカメラの終了制御を実行する。操作されず電源がＯＮのままであればステップＳ６０３へ進み、引き続きユーザーの撮影スタイルや撮影状況に応じたカメラ制御を実行する。
【０１６３】
ステップＳ６１６では、ライブビューがＯＦＦであるか否かを判定する。ライブビューがＯＦＦであればステップＳ６１８へ進み、ＯＦＦでなければステップＳ６１７へ進む。
【０１６４】
ステップＳ６１７では、液晶モニタ１５を消灯し、ライブビュー表示を停止する。
【０１６５】
ステップＳ６１８では、撮像素子駆動回路３５により撮像素子６の撮像動作を終了する。
【０１６６】
ステップＳ６１９では、アイピースシャッター１４が閉状態であるか否かを判定する。閉状態であればステップＳ６２１へ進み、閉状態でなければステップＳ６２０へ進む。
【０１６７】
ステップＳ６２０では、プランジャー駆動回路３８によりプランジャー３９の通電制御を行い、アイピースシャッター１４を閉状態に駆動する。
【０１６８】
ステップＳ６２１では、ミラー４がアップ位置にあるか否かを判定する。アップ位置にあればカメラ制御を終了し、アップ位置になければステップＳ６２２へ進む。
【０１６９】
ステップＳ６２２では、モーター駆動回路３２によりモーター３３を駆動して、ミラー４をアップ位置へ回動し、カメラ制御を終了する。
【０１７０】
以上説明したように、本発明の第２の実施形態によれば、ユーザーが光学ファインダーを使用して撮影している場合に、接眼検知がＯＮからＯＦＦに切り替わってから所定時間の間はライブビュー使用状態に切り替わらないようにした。これによりユーザーが撮影スタイルや撮影状況に応じて、ライブビュー撮影と光学ファインダー撮影を簡単且つ自由に切り替え可能なデジタル一眼レフカメラが実現できる。
【実施例３】
【０１７１】
以下、本発明の第３の実施形態を図面を参照しながら説明する。基本構成は実施例１の図１〜１０と同一であるため説明を割愛し、異なる部分を説明する。
【０１７２】
図１６は本実施例３のデジタル一眼レフカメラの全体制御の流れを概略的に示したフローチャートである。
【０１７３】
ステップＳ７０１では、電源ボタン４８が操作され操作信号がＣＰＵ３０に出力されてカメラの電源がＯＮする。
【０１７４】
ステップＳ７０２では、撮像素子駆動回路３５により撮像素子６の撮像動作と、撮像信号のＣＰＵ３０への送信を開始する。
【０１７５】
ステップＳ７０３では、接眼検知によりユーザーが接眼レンズ１０を覗いているか否かを判定する。接眼検知がＯＦＦ、即ち光学ファインダーを使用していないと判定されるとステップＳ７０４へ進み、接眼検知がＯＮ、即ち光学ファインダーを使用していると判定されるとステップＳ７０５へ進む。
【０１７６】
ステップＳ７０４では、撮像面ＡＥ結果により撮影環境の輝度が所定値１未満か否かを判定する。所定値１未満の場合はステップＳ７０６へ進み、所定値１以上の場合はステップＳ７０７へ進む。ここで所定値１はユーザーが設定可能としても良いし、カメラが自動設定しても構わない。
【０１７７】
ステップＳ７０５では、撮像面ＡＥ結果により撮影環境の輝度が所定値２を超えるか否かを判定する。所定値２を超える場合はステップＳ７０８へ進み、所定値以下の場合はステップＳ７０７へ進む。ここで所定値２はユーザーが設定可能としても良いし、カメラが自動設定しても構わない。
【０１７８】
ステップＳ７０６では、静止画ＬＶ撮影ルーチンを実行する。詳細については実施例１の図１２と同一であるため説明は割愛する。
【０１７９】
ステップＳ７０７では、ミラーダウン状態でのライブビュー使用による撮影ルーチン（以後、ミラーダウンＬＶ撮影ルーチンと称す）を実行する。詳細は後述する。
【０１８０】
ステップＳ７０８では、ＯＶＦ撮影ルーチンを実行する。詳細については実施例１の図１３と同一であるため説明は割愛する。
【０１８１】
ステップＳ７０９では、ユーザーが電源ボタン４８を操作したか否かを判定する。操作されて電源がＯＦＦされればステップＳ７１０へ進み、ステップＳ７１０以降のカメラの終了制御を実行する。操作されず電源がＯＮのままであればステップＳ７０３へ進み、引き続きユーザーの撮影スタイルや撮影状況に応じたカメラ制御を実行する。
【０１８２】
ステップＳ７１０では、ライブビューがＯＦＦであるか否かを判定する。ライブビューがＯＦＦであればステップＳ７１２へ進み、ＯＦＦでなければステップＳ７１１へ進む。
【０１８３】
ステップＳ７１１では、液晶モニタ１５を消灯し、ライブビュー表示を停止する。
【０１８４】
ステップＳ７１２では、撮像素子駆動回路３５により撮像素子６の撮像動作を終了する。
【０１８５】
ステップＳ７１３では、アイピースシャッター１４が閉状態であるか否かを判定する。閉状態であればステップＳ７１５へ進み、閉状態でなければステップＳ７１４へ進む。
【０１８６】
ステップＳ７１４では、プランジャー駆動回路３８によりプランジャー３９の通電制御を行い、アイピースシャッター１４を閉状態に駆動する。
【０１８７】
ステップＳ７１５では、ミラー４がアップ位置にあるか否かを判定する。アップ位置にあればカメラ制御を終了し、アップ位置になければステップＳ７１６へ進む。
【０１８８】
ステップＳ７１６では、モーター駆動回路３２によりモーター３３を駆動して、ミラー４をアップ位置へ回動し、カメラ制御を終了する。
【０１８９】
図１７はミラーダウンＬＶ撮影ルーチンの流れを概略的に示したフローチャートである。
【０１９０】
ステップＳ８０１では、ミラー４がダウン位置にあるか否かを判定する。ダウン位置にあればステップＳ８０３へ進み、ダウン位置になければステップＳ８０２へ進む。
【０１９１】
ステップＳ８０２では、モーター駆動回路３２によりモーター３３を駆動して、ミラー４をダウン位置へ回動する。
【０１９２】
ステップＳ８０３では、アイピースシャッター１４が開状態であるか否かを判定する。開状態であればステップＳ８０５へ進み、開状態でなければステップＳ８０４へ進む。
【０１９３】
ステップＳ８０４では、プランジャー駆動回路３８によりプランジャー３９の通電制御を行い、アイピースシャッター１４を開状態に駆動する。
【０１９４】
ステップＳ８０５では、接眼検知によりユーザーが接眼レンズ１０を覗いているか否かを判定する。接眼検知がＯＮ、即ち光学ファインダーを使用していると判定されるとステップＳ８０６へ進み、接眼検知がＯＦＦ、即ち光学ファインダーを使用していないと判定されるとステップＳ８０７へ進む。
【０１９５】
ステップＳ８０６では、液晶モニタ１５を消灯し、ライブビュー表示を停止する。
【０１９６】
ステップＳ８０７では、画像処理回路４２により撮像信号からライブビュー用の画像データを生成し、液晶モニタ１５に表示する。
【０１９７】
ステップＳ８０８では、ユーザーによりレリーズボタン４３が操作されてＳＷ１がＯＮしたか否かを判定する。ＳＷ１がＯＮされればステップＳ８０９へ進み、ＳＷ１がＯＮされなければステップＳ８０５へ進み、引き続きユーザーの撮影スタイルや撮影状況に応じたカメラ制御を実行する。
【０１９８】
ステップＳ８０９では、撮像面位相差ＡＦルーチンを実行する。詳細については実施例１の図１０と同一であるため説明は割愛する。
【０１９９】
ステップＳ８１０では、ユーザーによりレリーズボタン４３が操作され続けてＳＷ２がＯＮしたか否かを判定する。ＳＷ２がＯＮされればステップＳ８１１へ進み、ＳＷ２がＯＮされなければステップＳ８０８へ進み、引き続きユーザーによるレリーズボタン４３の操作を監視する。
【０２００】
ステップＳ８１１では、撮像面ＡＥ結果により演算された撮影露出またはユーザーの設定値に従って、不図示の撮影レンズ３内の不図示の絞りを駆動する。
【０２０１】
ステップＳ８１２では、撮像面ＡＥ結果により演算された撮影露出またはユーザーの設定値に従って、シャッター駆動回路３４によりシャッター５の露光走行を行う。
【０２０２】
ステップＳ８１３では、シャッター５の露光走行の間に撮像素子６で受光された撮像信号を画像処理回路４２で画像データにして、ＳＤＲＡＭ４１に一時記録する。
【０２０３】
ステップＳ８１４では、画像処理回路４２で画像データに各種画像処理を行ない、静止画像としてメディア４０に記録する。
【０２０４】
ステップＳ８１５では、モーター駆動回路３２によりモーター３３を制御し、シャッター５のチャージ駆動を行い、シャッター５を開状態にし、ミラーダウンＬＶ撮影ルーチンを終了する。
【０２０５】
以上説明したように、本発明の第３の実施形態によれば、撮影環境の輝度が所定値１未満の場合は暗いため光学ファインダーでは被写体の確認がし難くなるため静止画ＬＶルーチンを設けた。更に所定値２を超えると明るすぎて液晶モニタ１５の表示が見難くなるためＯＶＦ撮影ルーチン、所定値１を超え所定値２未満の場合は、ライブビューと光学ファインダーのいずれも使用可能なミラーダウンＬＶ撮影ルーチンと、各撮影ルーチンを設けた。これによりユーザーが撮影しようとしている撮影環境に応じて、ライブビュー撮影と光学ファインダー撮影を簡単且つ自由に切り替え可能なデジタル一眼レフカメラが実現できる。
【符号の説明】
【０２０６】
４  ミラー、６  撮像素子、１０  接眼レンズ、１２  接眼検知センサ投光部、
１３  接眼検知センサ受光部、１４  アイピースシャッター、１５  液晶モニタ
【図１】
2015225190.tif 000004
【図２】
2015225190.tif 000005
【図３】
2015225190.tif 000006
【図４】
2015225190.tif 000007
【図５】
2015225190.tif 000008
【図６】
2015225190.tif 000009
【図７】
2015225190.tif 000010
【図８】
2015225190.tif 000011
【図９】
2015225190.tif 000012
【図１０】
2015225190.tif 000013
【図１１】
2015225190.tif 000014
【図１２】
2015225190.tif 000015
【図１３】
2015225190.tif 000016
【図１４】
2015225190.tif 000017
【図１５】
2015225190.tif 000018
【図１６】
2015225190.tif 000019
【図１７】
2015225190.tif 000020